(57)【要約】【課題】設置の施工効率が良く施工コストが安い防獣用フェンスを提供すること。【解決手段】本考案の防獣用フェンス１は、間隔を隔てて設置面に立設した複数の支柱１０と、隣り合う支柱１０の上部間に横架した吊下竿２０と、吊下竿２０に垂下させて展張した金網３０と、を具備し、金網３０は、その全高が支柱１０の立設高さより大きく、金網３０はその下端を設置面に沿って折り曲げて金網の前方に向けて敷設した帯状の敷設部３２を有することを特徴とする。【選択図】図１
0003197635.tif 000002
【実用新案登録請求の範囲】
【請求項１】
間隔を隔てて設置面に立設した複数の支柱と、
隣り合う前記支柱の上部間に横架した吊下竿と、
前記吊下竿に垂下させて展張した金網と、を具備し、
前記金網は、その全高が前記支柱の立設高さより大きく、前記金網はその下端を設置面に沿って折り曲げて前記金網の前方に向けて敷設した帯状の敷設部を有することを特徴とする、
防獣用フェンス。
【請求項２】
前記金網は、水平方向に連続した複数の列線を垂直方向に接続した菱形金網であることを特徴とする、請求項１に記載の防獣用フェンス。
【請求項３】
アンカーピンを更に有し、前記アンカーピンを介して前記敷設部を設置面に固定することを特徴とする、請求項１または２に記載の防獣用フェンス。
【請求項４】
前記支柱に、前記吊下竿を載置する支持部材を設けたことを特徴とする、請求項１乃至３のいずれか一項に記載の防獣用フェンス。
【請求項５】
前記金網は複数の分割金網からなり、前記分割金網の側端部を重ね合わせて連結したことを特徴とする、請求項１乃至４のいずれか一項に記載の防獣用フェンス。
【請求項６】
前記分割金網を、前記支柱の立設位置で重ね合わせたことを特徴とする、請求項５に記載の防獣用フェンス。
【考案の詳細な説明】
【技術分野】
【０００１】
本考案はフェンスに関し、特に、鹿や小動物等の侵入を防ぐ、防獣用のフェンスに関する。
【背景技術】
【０００２】
近年、鹿や猪、うさぎ等の小動物が農地へ侵入し、農作物を食い荒らすいわゆる獣害の問題が深刻化している。この問題への対策として、各種の防獣用フェンスが利用されている。
引用文献１には、並設状の支柱に亘り、網面を形成している各列線が複数本の撚線または平行状の束線からなる複線である金網を架設し、網面における上縁が列線からなる起立状の侵入防止部で形成される、防獣用フェンスが開示されている。
この防獣用フェンスは、網面強度が高くて且つ柔軟性を有しているため、大型動物の侵入を阻止できると共に、衝突時に負傷させないため、野生動物の交通事故による被害対策、野生動物による食害対策等に有用であり、また、柔軟性があるため、設置される地形の変化に対応できて施工性も優れるとされている。
【先行技術文献】
【特許文献】
【０００３】
【特許文献１】特開平１０−１９３０２１号公報
【考案の概要】
【考案が解決しようとする課題】
【０００４】
従来の防獣用フェンスには、次のような欠点がある。
＜１＞菱形金網の網目を水平方向に広げながら胴縁へ連結するため、２名以上の作業員が必要であり、施工効率が悪い。
＜２＞構造が複雑なため作業工程が多く、施工コストが高い。
＜３＞部材数が多いため、材料コストが高い。
＜４＞動物が金網に衝突して防獣用フェンスを破損させることがある。
＜５＞動物が金網下方の設置面に穴を掘って潜り抜けることができるため、遮蔽効果が低い。
＜６＞設置面が傾斜している場合、設置面と下胴縁との間に隙間が生じ、遮蔽効果が低い。
＜７＞設置面に起伏がある場合、隣接する防獣用フェンスの間に隙間が生じ、これを塞ぐための追加作業が必要になる。
【課題を解決するための手段】
【０００５】
上記のような課題を解決するための本考案の防獣用フェンスは、間隔を隔てて設置面に立設した複数の支柱と、隣り合う支柱の上部間に横架した吊下竿と、吊下竿に垂下させて展張した金網と、を具備し、金網は、その全高が支柱の立設高さより大きく、金網はその下端を設置面に沿って折り曲げて金網の前方に向けて敷設した帯状の敷設部を有することを特徴とする。
【０００６】
本考案のフェンスは、金網が水平方向に連続した複数の列線を垂直方向に接続した菱形金網であることが望ましい。
【０００７】
本考案のフェンスは、アンカーピンを更に有し、アンカーピンを介して敷設部を設置面に固定することが望ましい。
【０００８】
本考案のフェンスは、支柱に吊下竿を載置する支持部材を設けることが望ましい。
【０００９】
本考案のフェンスは、金網が複数の分割金網からなり、分割金網の側端部を重ね合わせて連結することが望ましい。
【００１０】
本考案のフェンスは、分割金網を支柱の立設位置で重ね合わせることが望ましい。
【考案の効果】
【００１１】
本考案の防獣用フェンスは、以上説明した構成であるため、次の効果を少なくともひとつ備えている。
＜１＞菱形金網を吊下竿から横向きに吊下げて展張するため、菱形金網が自重で下方へ広がる。また、金網を胴縁へ連結する作業がないため、１名で設置できる。よって、施工効率が非常に良い。
＜２＞構造が簡単なため作業工程が少なく、施工コストが安い。
＜３＞部材数が少ないため、材料コストが安い。
＜４＞動物が敷設部を忌避して防獣用フェンスに近寄らないため、衝突による破損が生じない。
＜５＞防獣用フェンス前面の設置面が敷設部で覆われるため、動物が穴を掘って潜り抜けることができない。
＜６＞吊り下ろした金網の下端部をそのまま設置面に敷き込むため、防獣用フェンスの下部と設置面との間に隙間が生じない。そのため、遮蔽効果が高い。
＜７＞設置面に起伏がある場合でも、金網の重ね張り部分を多くとることで、追加の作業を要さずに防獣用フェンス同士を連結することができる。
【図面の簡単な説明】
【００１２】
【図１】本考案に係る防獣用フェンスの説明図。
【図２】本考案に係る防獣用フェンスの説明図。
【図３】本考案に係る防獣用フェンスの説明図。
【図４】本考案に係る防獣用フェンスの説明図。
【考案を実施するための形態】
【００１３】
以下、図面を参照しながら本考案の防獣用フェンスについて詳細に説明する。
尚、図２では説明の便宜のため、金網３０を表示していない。
【実施例１】
【００１４】
＜１＞全体の構成（図１）。
本考案の防獣用フェンス１は、鹿や猪、うさぎ等の小動物の侵入を防ぐ防獣柵である。
防獣用フェンス１は、一定の間隔を空けて設置面に打設した複数の支柱１０と、隣り合う支柱１０、１０の上部間に掛け渡した吊下竿２０と、吊下竿２０に網目を通して吊下げた金網３０と、を具備する。
本例では、金網３０を複数の分割金網３０ａを連続して構成する場合について説明する。
【００１５】
＜２＞支柱。
支柱１０は、吊下竿２０を介して分割金網３０ａを支持する部材である。
本例では、支柱１０に防錆処理を施した鋼管を採用する。但し素材はこれに限定されず、公知の各種支柱を採用することができる。
支柱１０は一定距離離間させて、設置面に複数本打設する。
【００１６】
＜２．１＞支持部材（図２）。
支持部材１１は、支柱１０の上部に設けた、吊下竿２０を支持するための部材である。
本例では、支持部材１１は、上方に開放した倒コの字状の受け部１１ａと、受け部１１ａの両端部と支柱１０とを連続して挿通するボルト１１ｂおよびナット１１ｃと、からなる。
受け部１１ａの底面には、後述する吊下竿２０を２本並べて載置する。よって、受け部１１ａの底面の幅は吊下竿２０の径の２倍以上である。
【００１７】
＜２．２＞連結具。
連結具１２は、分割金網３０ａの端部を支柱１０の胴部に連結するための道具である。
本例では、連結具１２として支柱１０に巻き付けた番線を採用するが、これに限られず、各種の取付金具や結束帯等であってもよい。
【００１８】
＜３＞吊下竿。
吊下竿２０は、分割金網３０ａを支柱１０から吊下げるための棒材である。
本例では、吊下竿２０に防錆処理を施した鋼管を採用する。
【００１９】
＜４＞分割金網。
分割金網３０ａは、防獣用フェンス１の遮蔽面を形成する部材である。
分割金網３０ａは、波型の列線３０ｂを接続してなる菱形金網である。各列線３０ｂは、上段の列線３０ｂの谷部に下段の列線３０ｂの山部を通して接続する。
本例では、列線３０ｂとして合成樹脂で被覆した亜鉛メッキ鉄線を採用する。ただし列線３０ｂの素材はこれに限られない。
分割金網３０ａは垂直方向に展張した展張部３１と、分割金網３０ａを設置面に沿ってフェンス前面方向に折り返して敷き込んだ敷設部３２と、を有する。
分割金網３０ａは菱形金網の他、亀甲金網等の公知の折り曲げ可能な網体を採用することができる。
【００２０】
＜４．１＞金網の展張方向（図３）。
本考案の防獣用フェンス１は、従来の防獣用フェンスにおける金網の網目を９０度回転させた向きで分割金網３０ａを展張する点に特徴を有する。
すなわち、従来の防獣用フェンスは、列線の長手方向（以下、連続方向Ｘという）を上下に、列線の短手方向（以下、接続方向Ｙという）を左右に配して金網を展張していた。
これに対し本考案の防獣用フェンス１は、連続方向Ｘを左右に、接続方向Ｙを上下に配して分割金網３０ａを展張する。
従来の防獣用フェンスは、上下方向に突出した列線の端部を胴縁に掛止するため、列線の端部に端部処理（ナックル加工）を施す必要があった。
一方、本考案の防獣用フェンス１は、列線３０ｂの端部が分割金網３０ａの両側辺に位置し、分割金網３０ａの側辺は隣接する防獣用フェンス１‘の分割金網３０ａの側辺と重ね合わせて連結されるため、端部処理の必要がない。
【００２１】
＜４．２＞展張部。
展張部３１は、防獣用フェンス１の遮蔽面を構成する部分である。
展張部３１の上辺は網目に吊下竿２０が挿通される。展張部３１の下辺は分割金網３０ａ直下の設置面にアンカーピン３３で留められ、敷設部３２と連続する。
【００２２】
＜４．３＞敷設部。
敷設部３２は、分割金網３０ａの下端部であって、設置面に沿って防獣用フェンス１の前方に敷き込んだ部分である。
本考案の防獣用フェンス１は、折り曲げやすい分割金網３０ａの接続方向Ｙを上下に配した構造であるため、吊り下げた分割金網３０ａを設置面から前方に折り曲げ、展張部３１と敷設部３２とを連続して設けることができる。
【００２３】
＜４．３．１＞敷設部の機能。
鹿や猪などの偶蹄類は、金属を格子状に敷設した構造物上の歩行を嫌がる習性がある。そのため、菱形金網を水平に敷設した敷設部３２は、これらの動物が防獣用フェンス１へ接近するのを防ぐ機能を有する。
よって、動物の衝突によるフェンスの１の破損を防ぐことができる。
また、防獣用フェンス１直下の設置面を敷設部３２で被覆することで、うさぎ等の小動物が地盤に穴を掘って防獣用フェンス１を潜り抜けることを防ぐことができる。
【００２４】
＜４．４＞アンカーピン。
アンカーピン３３は、分割金網３０ａを設置面へ固定するための部材である。
アンカーピン３３は、展張部３１の下端部や敷設部３２の前端部に、必要に応じて打設する。
【００２５】
[防獣用フェンスの設置方法]
次に、本願の防獣用フェンスの設置方法について、図面を参照しながら詳細に説明する。
【００２６】
＜１＞支柱の打設。
所定の間隔を隔てて、複数本の支柱１０を設置面に打設する。
【００２７】
＜２＞金網の展張。
分割金網３０ａは、連続方向Ｘを幅方向としてロール状に巻いた菱形金網を使用する。
分割金網３０ａ先端の列線３０ｂの網目に吊下竿２０を挿通し、吊下竿２０を隣接する支柱１０、１０の支持部材１１、１１間に架け渡す。
続いて、分割金網３０ａを繰り出しながら設置面まで展張し、設置面で分割金網３０ａの網目にアンカーピン３３を打設して展張部３１を形成する。
菱形金網は接続方向Ｙに伸びやすい性質を有するところ、本考案の防獣用フェンス１は、接続方向Ｙを上下に配しているため、吊下竿２０から分割金網３０ａを吊下げることで、分割金網３０ａの自重を利用して容易に網目を広げることができる。
そのため、従来の防獣用フェンスのように金網を水平方向に引っ張りながら展張する必要がなく、一人でも展張できる。また、分割金網３０ａの下端部を下胴縁に接続するのではなく、直接設置面に固定するため、施工が容易である。
【００２８】
＜３＞敷設部の形成。
分割金網３０ａを設置面からさらに防獣用フェンス１前方に繰り出して、敷設部３２を形成する。
分割金網３０ａを敷設部３２の奥行き分繰り出したら、列線３０ｂを回転させながら横方向（連続方向Ｘ）に引き抜いて、分割金網３０ａをロール状体から切り離す。
切り離した敷設部３２端部の網目に、幅方向にワイヤを挿通し、アンカーピン３３で設置面に固定する。ワイヤを用いず、端部の網目に直接アンカーピン３３を打設してもよい。
本考案の防獣用フェンス１は、折り曲げやすい連結方向Ｙを分割金網３０ａの上下に配した構造であるため、分割金網３０ａの下端部を設置面に沿って前方に折り返すことができる。
よって、展張部３１と敷設部３２とを連続して設置でき、施工が容易である。また、両者の間に隙間が生じないため、遮蔽効果が高い。
【００２９】
＜４＞金網の支柱への固定。
分割金網３０ａを連結具１２で支柱１０に連結する。本例では、分割金網３０ａの網目に挿通した番線を支柱１０に巻き付けて固定する。  
従来の防獣用フェンスは、金網の弛みを防ぐため、金網を水平方向に強く引き、網目を広げた状態で横胴縁に連結していた。そのため、金網の両端部と横胴縁とを強固に連結する必要があった。
これに対し、本考案の防獣用フェンス１は、伸縮の少ない連続方向Ｘを幅方向に配した構造であるため、分割金網３０ａの側端と支柱１０とを強固に連結する必要がない。よって、構造が単純で施工が容易である。
【００３０】
＜５＞金網の連続。
分割金網３０ａを展張した支柱１０の支持部材１１と、未展張の支柱１０の支持部材１１との間に、分割金網３０ａを挿通した吊下竿２０を架け渡す。
一本の支柱１０の支持部材１１には、連続する２本の吊下竿２０、２０が並置される（図２）。新設する分割金網３０ａの吊下竿２０は、既設の分割金網３０ａの吊下竿２０の前面側に設置する。
これら２本の吊下竿２０、２０の上部を塞ぐように、受け部１１ａ両端部の挿通孔と支柱１０とにボルト１１ｂを挿通しナット１１ｃで締結する。これによって、２本の吊下竿２０、２０が支持部材１１に固定される。
つづいて上記＜２＞＜３＞の手順に従って、分割金網３０ａに展張部３１と敷設部３２を形成する。
隣接する分割金網３０ａ、３０ａとの端部同士を重ね合わせ、重なり部分の網目に番線等を挿通し、両者を連結する。
本考案の防獣用フェンス１は、分割金網３０ａの重合部分で金網の厚みが２倍になるため、強度を必要とする支柱１０周りの分割金網３０ａが補強される。これによって、防獣用フェンス１全体の強度を高めることができる。
【００３１】
＜６＞設置面に起伏がある場合。
防獣用フェンスの設置面に起伏がある場合、従来の防獣用フェンスでは、隣接する防獣用フェンスの間に隙間が生じ、これを塞ぐために金網を重ね張りする等の作業が必要であった。
これに対し、本考案の防獣用フェンス１は、支柱１０間のピッチを狭めて、分割金網３０ａの端部同士の重ねを多くとる事で、防獣用フェンス１同士を隙間なく連結することができる（図４）。
【符号の説明】
【００３２】
１      防獣用フェンス
１０    支柱
１１    支持部材
１１ａ  受け部
１１ｂ  ボルト
１１ｃ  ナット
１２    連結具
２０    吊下竿
３０    金網
３０    分割金網
３０ｂ  列線
３１    展張部
３２    敷設部
３３    アンカーピン
Ｘ      連続方向
Ｙ      接続方向
【図１】
0003197635.tif 000003
【図２】
0003197635.tif 000004
【図３】
0003197635.tif 000005
【図４】
0003197635.tif 000006